(57)【要約】【課題】レンズを接着固定するレンズ保持枠とレンズの影に回り込む紫外線硬化接着剤を抑制し、接着剤の未硬化が防止できるレンズ保持鏡筒を提供すること。【解決手段】レンズ保持枠にレンズが挿入され、レンズ保持枠にレンズを接着する構成で、レンズ保持枠にレンズを所定位置に構成する第１のレンズ胴付き部とレンズ胴付き部と異なる角度位相部に接着剤を溜める凹部を有し、レンズ保持枠の凹部の内径側にレンズと当接する第２の胴付き部を有するレンズ保持鏡筒であることを特徴とする。【選択図】図１
2018194755.tif 000002
【特許請求の範囲】
【請求項１】
レンズ鏡筒にレンズが挿入され、鏡筒にレンズを接着する構成に於いて、レンズ鏡筒にレンズを所定位置に構成する第１のレンズ胴付き部を有し、レンズ胴付き部と異なる角度位相部にレンズ鏡筒とレンズを接着するための接着剤を溜める凹部を有し、レンズ鏡筒の凹部の内径側にレンズと当接する第２の胴付き部を有することを特徴とするレンズ保持鏡筒。
【請求項２】
レンズ鏡筒のレンズを接着するための接着剤を溜める凹部の角度以外で、レンズとレンズ鏡筒の嵌合部が構成されていることを特徴とする請求項１に記載のレンズ鏡筒。
【請求項３】
第２の胴付き部は、レンズ鏡筒とレンズが第１のレンズ胴付き部で当接した時には、塑性変形してレンズと当接する形状であることを特徴とする請求項１又は請求項２に記載のレンズ鏡筒。
【請求項４】
第２の胴付き部は、レンズのレンズ鏡筒の第１の胴付き部が当接する面と異なる面で当接する構成であることを特徴とする請求項３に記載のレンズ鏡筒。
【発明の詳細な説明】
【技術分野】
【０００１】
本発明は、カメラ等の光学機器等に搭載可能なレンズ保持枠に関し、特にレンズをレンズ保持枠に固定する構造に関する。
【背景技術】
【０００２】
従来、撮影レンズ、投射レンズ、観察系レンズなどの光学系を保持する構造に於いて、レンズをレンズ保持枠に固定する方法は、押え環で締め付ける方法、プラスチックの鏡筒を熱・超音波などで変形させレンズを押さえる方法、レンズ保持枠に接着剤でレンズを固定る方法が取られていた、昨今レンズの小型化・軽量化などから、レンズをレンズ保持枠に接着固定する方法が多くなってきている。
【０００３】
特許文献１には、２つのレンズを接着する鏡筒で、位相を変えた接着剤の溜り部を設ける構造が開示されている。特許文献２には、レンズ同士を接着する構成で、レンズ同士の当接部に接着剤流れだし防止壁を設ける方法が開示されている。特許文献３には、レンズ同士を接着する構成で、レンズ同士の当接部に接着剤流れだし防止溝を設ける方法が開示されている。
【先行技術文献】
【特許文献】
【０００４】
【特許文献１】特開２０１３−８３８０６号公報
【特許文献２】特開２０１２−８３４３９号公報
【特許文献３】特開２０１１−９９９００号公報
【発明の概要】
【発明が解決しようとする課題】
【０００５】
しかしながら、上述の特許文献に開示された従来技術では、特許文献１においては、接着剤の流れだしを考慮していないので、紫外線硬化型の接着剤の場合、紫外線ランプの照射外に接着剤が流出し、接着剤が硬化しない可能性もある。また、レンズ裏面に接着剤が入り込み光学性能に影響を与える場合もあり得る。特許文献２、特許文献３においては、接着剤の流れだし防止形状はあるが、隙間があるため十分に流れださなくすることは不可能であること、また、接着剤から発生するガスが径時によってレンズを曇らせてしまうことも考えられる。
【０００６】
そこで、本発明の目的は、レンズ保持枠にレンズが挿入されたときに、レンズ保持枠のレンズ当接面を塑性変形させることで、レンズと鏡筒の隙間をなくし、接着剤がレンズ面に流れ込まない構造とした。
【０００７】
また、レンズ保持鏡筒の塑性変形部がレンズ面に当接する個所は、レンズ胴付き面と異なる面で押圧する構成とすることで、レンズ挿入後のレンズ面のゆがみを低減できる。また、レンズ保持鏡筒の塑性変形部をレンズ外径の面取り部に構成することで、面取り部裏に回り込んだ紫外線硬化接着剤が紫外線到達の減衰により接着剤が未硬化になることを防止できるレンズ保持鏡筒を提供することである。
【課題を解決するための手段】
【０００８】
上記の目的を達成するために、本発明に係るレンズ保持鏡筒は、
レンズ保持枠にレンズが挿入され、鏡筒にレンズを接着する構成に於いて、レンズ保持枠にレンズを所定位置に構成する第１のレンズ胴付き部を有し、レンズ胴付き部と異なる角度位相部に鏡筒とレンズを接着するための接着剤を溜める凹部を有し、レンズ保持枠の凹部の内径側にレンズと当接する第２の胴付き部を有するレンズ保持鏡筒であることを特徴とする。
【発明の効果】
【０００９】
本発明によれば、レンズ保持鏡筒にレンズを挿入し、レンズを接着固定する構成に於いて、接着剤のレンズ裏面への流れ込みを防止し、未硬化接着剤から発生するガスによりレンズが汚れることを防止するレンズ保持枠を提供することができる。
【図面の簡単な説明】
【００１０】
【図１】レンズユニット断面図
【図２】レンズ保持部拡大断面図
【図３】レンズ保持部拡大断面図
【図４】レンズユニット正面図
【図５】鏡筒斜視図
【図６】鏡筒枠斜視拡大図
【発明を実施するための形態】
【００１１】
以下に、本発明の好ましい実施の形態を、添付の図面に基づいて詳細に説明する。図１は、本発明の実施形態にかかわるレンズユニットにレンズが挿入された状態の断面図である。
【実施例１】
【００１２】
以下、図１〜図６を参照して、本発明の実施例による、レンズユニットについて説明する。図１は、レンズユニットの断面図で、図３で示した位置での断面形状である。図２、図３は、図１のＡ部、Ｂ部の拡大図である。図５と図６は、レンズが挿入されていない状態の鏡筒１１の斜視図であり、図６は、図５の部分拡大図である。
【００１３】
レンズユニット１０は、撮影レンズに含まれるレンズユニットの一部であり、鏡筒１１にレンズＬ１、Ｌ２、Ｌ３が挿入されている。鏡筒１１は、カムフォロアー１２が１２０度等分に配置され、カムフォロアー１２が挿入されている。カムフォロアー１２と不図示のカム溝を有するカム環、直進溝を有する案内筒によって、カム環が回転することにより、レンズユニット１０が光軸方向に進退する構造となっている。
【００１４】
レンズＬ１は、鏡筒１１に挿入されたときに、レンズの光軸を精度よく保持するために、嵌合部（不図示）が１２０度等分に配置され、略圧入状態で保持されている。レンズＬ１は、第１面側が凹面、第２面側が凸面で構成されている。レンズ第１面側の外径部は、第１の外径部Ｌ１ａと、第１の外径部より大きい第２の外径部Ｌ１ｂが構成され、第２の外径部と前述の鏡筒１１の嵌合部が略圧入状態で挿入されている。
【００１５】
レンズＬ１の第２面側には、平面部Ｌ１ｃが形成され、平面部Ｌ１ｃと、鏡筒１１の平面レンズ受け部１１ａが当接し、鏡筒１１の中でのレンズの位置を決めている。レンズＬ１は、鏡筒１１に挿入された後に、鏡筒１１の爪部１１ｃを熱により変形させてレンズＬ１の第２の外径部Ｌ１ｂの面取り部に変形当接させ固定する。
【００１６】
レンズＬ２は、鏡筒１１に挿入されたときに、レンズの光軸を精度よく保持するために、嵌合部１１ｂが１２０度等分に配置され、略圧入状態で保持されている。レンズＬ２は、第１面側が凸面、第２面側が凸面で構成されていて、第１面側の凸面の曲率は、第２面側の曲率より大きい。レンズＬ２の外径部Ｌ２ａと第１面側の角部には、面取りＬ２ｂが構成されている。
【００１７】
鏡筒１１には、鏡筒１１に挿入されたレンズＬ２を接着固定するための接着剤を溜める凹部１１ｄが、１２０度等分に３か所配置されている。鏡筒１１には、レンズ当接面１１ｆ、第２のレンズ当接面１１ｅが構成されている。鏡筒１１には、遮光シート１３が張り付けられる棚部１１ｇが構成されている。
【００１８】
遮光シート１３が張り付けられることによって、レンズＬ２を固定している接着剤が、レンズＬ３を透過して、可視することはない。レンズＬ３は、鏡筒１１に挿入されたときに、レンズの光軸を精度よく保持するために、不図示の嵌合部が１２０度等分に配置され、略圧入状態で保持されている。レンズＬ３は、第１面側が凹面、第２面側が凸面で構成されている。レンズＬ３の第１面側凹面には、平面部Ｌ３ａが形成されている。レンズＬ３の平面部Ｌ３ａは、鏡筒１１の平面部１１ｈに当接し、光軸方向の位置決めがされている。
【００１９】
鏡筒１１には、鏡筒１１に挿入されたレンズＬ３を接着固定するための接着剤を溜める凹部１１ｉが、１２０度等分に３か所配置されている。鏡筒１１には、遮光リング１４が、鏡筒１１の外径に嵌合し、構成されている。
【００２０】
図４で示すように、遮光リング１４によって鏡筒１１に接着固定されたＬ３の接着部は、可視されない。ここで、レンズＬ２が鏡筒１１に組み付けられる工程を説明する。
レンズＬ１は、鏡筒１１に挿入され、熱カシメにより鏡筒１１の爪部１１ｃをつぶし、固定されている。レンズＬ２は、組み立て工程上、不図示のレンズ挿入工具によってレンズＬ２を鏡筒１１に挿入する。挿入時には、鏡筒１１のレンズ嵌合部１１ｄとレンズＬ２の外径Ｌ２ａとの関係が略圧入状態となっているために、レンズ挿入工具によって、レンズＬ２は鏡筒１１に、圧入状態に勝る力で押しこまれていく。
【００２１】
レンズＬ２の第１面と鏡筒１１のレンズ当接面１１ｆが接触した状態が、レンズＬ２が、鏡筒１１に挿入された正規の位置であり、この状態になるまで挿入工具で押し込まれる。レンズＬ２が鏡筒１１に挿入されていく過程では、第２のレンズ当接面１１ｅは、レンズＬ２の面取り部Ｌ２ｂがレンズＬ２の第１面と鏡筒１１のレンズ当接面１１ｆが当接する前に接触する。
【００２２】
第２のレンズ当接面１１ｅが接触した時には、レンズＬ２の第１面と鏡筒１１のレンズ当接面１１ｆは、まだ当接しない。レンズ挿入工具によってレンズＬ２がさらに挿入されると、鏡筒１１の第２のレンズ当接面１１ｅの先端が潰れ変形し、レンズＬ２の第１面と鏡筒１１のレンズ当接面１１ｆが当接する。レンズＬ２は、鏡筒１１に当接面１１ｆと、変形した第２のレンズ当接面１１ｅに当たっていることになる。
【００２３】
第２のレンズ当接面１１ｅは、先端幅が０．１ｍｍから０．３ｍｍ程度で、レンズＬ２が押し込まれてつぶされる量は、０．１ｍｍから０．２ｍｍ程度である。上記の量に構成することで、つぶされた時の過大な応力がかからずレンズＬ２の面に歪が生じにくい。
【００２４】
鏡筒１１には、鏡筒１１に挿入されたレンズＬ２を接着固定するための接着剤を溜める凹部１１ｄが、１２０度等分に３か所配置されている。凹部１１ｄは、接着剤が凹部底まで流れ込み易いように外径側が斜面で形成されている。
【００２５】
鏡筒１１にレンズＬ２を挿入する姿勢は、鏡筒１１が上側、レンズＬ２が下側で挿入される。鏡筒１１にレンズＬ２が挿入された後、鏡筒１１を反転させる。この状態で、接着剤を凹部１１ｄに流し込むと、接着剤は重力で流れ込み、斜面に沿って凹部１１ｄの底まで流れ、鏡筒１１とレンズＬ２の間に充てんされる。接着剤が、自然硬化型の場合は、接着剤が固まるまでこのまま放置しておく。接着剤の硬化時間の短縮を行うためには、紫外線硬化型接着剤を使用するのが望ましい。紫外線硬化型接着剤を使用すると、接着剤硬化の時間が短いため、組立タクトタイムを短縮することが可能である。
【００２６】
凹部１１ｄに紫外線硬化型接着剤が充てんされた後、不図示の紫外線投写ランプから紫外線を接着剤に投射し、接着剤を硬化させる。接着剤が固まったのち、鏡筒１１の遮光シート１３を張り付けられる棚部１１ｇに遮光シート１３を鏡筒１１に貼り付る。遮光シート１３によって、接着剤凹部１１ｄの接着剤が、レンズＬ３を通して可視できないよう覆う。以上がレンズＬ２の組み立て工程である。
【００２７】
鏡筒１１のレンズ当接面１１ｆとレンズＬ２の第１面の間には、レンズＬ２の第１面が凸のＲ形状であるために、微小な隙間が存在している。接着材凹部１１ｄに接着剤が滴下されたとき、第２のレンズ当接面１１ｅがない場合には、接着剤の粘性が低いと毛細管現象により、接着剤がレンズと鏡筒の微小な隙間に流れ込んでレンズＬ２の第１面にまで到達してしまう。紫外線を照射して接着剤を硬化させる工程において、紫外線ランプからの紫外線は、レンズの内部を通って接着剤に当たっている紫外線のエネルギー量と、接着剤に直接あたっている紫外線のエネルギー量は異なっている。
【００２８】
レンズの硝材によっては、紫外線を著しく透過しないものも存在する。レンズＬ２の第１面に到達した接着剤は、接着剤を硬化させる工程で紫外線照射によって固められる場合に、レンズを通った紫外線となるために到達するエネルギーが少なく、固まりにくくなる。
【００２９】
本考案のように、第２のレンズ当接面１１ｅが構成され、第２のレンズ当接面１１ｅがレンズ挿入時には変形し、レンズと当接する構造が取られている。接着剤が第２のレンズ当接面１１ｅによって塞き止められるためにレンズ第１面まで流れ込むことがない。
【００３０】
上記の構造により、レンズを固定している紫外線硬化型の接着剤の一部が未硬化になることはない。
【００３１】
以上、本発明の好ましい実施形態について説明したが、本発明はこれらの実施形態に限定されず、その要旨の範囲内で種々の変形及び変更が可能である。
【００３２】
本発明は、カメラ等の光学機器等に搭載可能なレンズ保持枠に関する。
【符号の説明】
【００３３】
Ｌ１〜Ｌ３  レンズ、１０  レンズユニット、１１  鏡筒、
１２  カムフォロアー、１３  遮光マスク、１４  遮光リング
【図１】
2018194755.tif 000003
【図２】
2018194755.tif 000004
【図３】
2018194755.tif 000005
【図４】
2018194755.tif 000006
【図５】
2018194755.tif 000007
【図６】
2018194755.tif 000008